(57)【要約】【課題】客が購入しようとしている商品と同類の商品についての情報を客に紹介する。【解決手段】商品紹介システムは、バーコードスキャナ、商品情報ファイル２１、読み出し手段、出力手段および第１の出力制御手段を含む。バーコードスキャナは、商品の商品コードを読み取る。商品情報ファイル２１は、販売する各種商品の少なくとも商品コード、分類コード、商品名、売価を商品情報として記憶する。読み出し手段は、バーコードスキャナが読み取った商品コードに基づいて商品情報ファイル２１から該当する商品コードの商品情報を読み出すとともにその商品情報の分類コードに基づいて商品情報ファイルから同一分類コードをもつ他の商品情報を読み出す。第１の出力制御手段は、読み出し手段が読み出した複数の商品の商品名と売価のリストを出力するように出力手段を制御する。【選択図】      図１
2011060327.tif 000002
【特許請求の範囲】
【請求項１】
商品の商品コードを読み取るバーコードスキャナを有する情報端末と、販売する各種商品の少なくとも商品コード、分類コード、商品名、売価を商品情報として記憶した商品情報ファイルと、前記バーコードスキャナが読み取った商品コードに基づいて前記商品情報ファイルから該当する商品コードの商品情報を読み出すとともにその商品情報の分類コードに基づいて前記商品情報ファイルから同一分類コードをもつ他の商品情報を読み出す同種類商品情報の読み出し手段とを有するサーバを備え、
前記情報端末は、出力手段と、前記読み出し手段が読み出した複数の商品の商品名と売価のリストを出力するように前記出力手段を制御する第１の出力制御手段とを具備する商品紹介システム。
【請求項２】
商品分類名の入力手段を有する情報端末と、
販売する各種商品の少なくとも分類コード、商品名、売価を商品情報として記憶した商品情報ファイルと、
前記入力手段から入力した商品分類名に対応した分類コードに基づいて前記商品情報ファイルから同一分類コードをもつ同種類の複数の商品情報を読み出す同種類商品情報の読み出し手段と、
出力手段と、
前記読み出し手段が読み出した複数の商品の商品名と売価のリストを出力するように前記出力手段を制御する第１の出力制御手段とを具備する商品紹介システム。
【請求項３】
前記情報端末は、前記表示出力手段によって商品名と価格が出力された複数の商品のうちの１つを選択することによりその選択した商品の陳列位置を知らせる情報を出力するように前記出力手段を制御する第２の出力制御手段を更に設ける請求項１または請求項２記載の商品紹介システム。
【請求項４】
前記第１の出力制御手段は、前記リストを前記サーバが読み出した同種類の商品情報を売価が安価な順に並べて表示するものとする請求項１乃至請求項３のいずれか一項記載の商品紹介システム。
【請求項５】
前記第２の出力制御手段は、前記出力手段により出力させる前記情報を、陳列棚のレイアウトをグラフィック表示するとともに前記選択された商品情報に該当する前記商品が陳列してある陳列棚をマーク表示するものとする請求項３記載の商品紹介システム。
【請求項６】
商品の商品コードを読み取るバーコードスキャナと、
前記バーコードスキャナが読み取った商品コードに基づいて、販売する各種商品の少なくとも商品コード、分類コード、商品名、売価を商品情報として記憶した商品情報ファイルから該当する商品コードの商品情報を読み出すとともにその商品情報の分類コードに基づいて前記商品情報ファイルから同一分類コードをもつ他の商品情報を読み出す読み出し手段と、
出力手段と、
前記読み出し手段によって読み出された同種類の商品情報のリストを出力するように前記出力手段を制御する第１の出力制御手段とを具備する情報端末装置。
【請求項７】
商品分類名の入力手段と、
この入力手段から入力した商品分類名に対応した分類コードに基づいて、販売する各種商品の少なくとも分類コード、商品名、売価を商品情報として記憶した商品情報ファイルから同一分類コードをもつ同種類の複数の商品情報を読み出す読み出し手段と、
出力手段と、
前記読み出し手段によって読み出された同種類の商品情報のリストを出力するように前記出力手段を制御する第１の出力制御手段とを具備する情報端末装置。
【請求項８】
前記第１の出力制御手段は、前記リストを前記サーバが読み出した同種類の商品情報を売価が安価な順に並べて表示するものとする請求項６または請求項７記載の情報端末装置。
【請求項９】
前記出力手段によって商品名と価格とが出力された複数の商品のうちの１つを選択することによりその選択した商品の陳列位置を知らせる情報を出力するように前記出力手段を制御する第２の出力制御手段をさらに設けた請求項６乃至請求項８のいずれか一項記載の情報端末装置。
【請求項１０】
前記第２の出力制御手段は、前記出力手段により出力させる前記情報を、陳列棚のレイアウトをグラフィック表示するとともに前記選択された商品情報に該当する前記商品が陳列してある陳列棚をマーク表示するものとする請求項９記載の情報端末装置。
【発明の詳細な説明】
【技術分野】
【０００１】
実施形態は、商品紹介システムおよび情報端末装置に関する。
【背景技術】
【０００２】
量販店において、客が、例えば醤油の各種商品の価格を比較する場合は、商品に貼ってある値札を直接見るか、商品の陳列棚に表示してある値段を見て行っており、例えば、一番安い商品を探し出すのに手間がかかっていた。また、特売品やタイムサービス品があった場合にその商品を探し出すのに手間がかかっていた。
【先行技術文献】
【特許文献】
【０００３】
【特許文献１】特開平０５−１４３８６５号公報
【特許文献２】特開平０６−２７４７６４号公報
【特許文献３】登録実用新案第３０６１６２９号公報
【特許文献４】特開２０００−０１１０５０号公報
【特許文献５】特開平０７−１２１６１４号公報
【発明の概要】
【発明が解決しようとする課題】
【０００４】
このように、従来は客が商品の陳列場所に行って商品を探しながら直接値段を確認しなければならず、一番安い商品を探したり、特売品などを探したりするのに手間がかかりこの点でサービスが悪かった。
【０００５】
そこで、客が購入しようとしている商品と同類の商品についての情報を客に紹介することが望まれていた。
【課題を解決するための手段】
【０００６】
実施形態の商品紹介システムは、バーコードスキャナ、商品情報ファイル、読み出し手段、出力手段および第１の出力制御手段を含む。バーコードスキャナは、商品の商品コードを読み取る。商品情報ファイルは、販売する各種商品の少なくとも商品コード、分類コード、商品名、売価を商品情報として記憶する。読み出し手段は、バーコードスキャナが読み取った商品コードに基づいて商品情報ファイルから該当する商品コードの商品情報を読み出すとともにその商品情報の分類コードに基づいて商品情報ファイルから同一分類コードをもつ他の商品情報を読み出す。第１の出力制御手段は、読み出し手段が読み出した複数の商品の商品名と売価のリストを出力するように出力手段を制御する。
【図面の簡単な説明】
【０００７】
【図１】実施形態を示すシステム全体の構成を示すブロック図。
【図２】同実施の形態における情報端末装置の構成を示すブロック図。
【図３】同実施の形態におけるサーバに設けた商品情報ファイルの構成を示す図。
【図４】同実施の形態におけるサーバに設けた陳列情報ファイルの構成を示す図。
【図５】同実施の形態における情報端末装置のＣＰＵによる商品紹介処理を示す流れ図。
【図６】同実施の形態における情報端末装置のＣＰＵによる商品の陳列位置報知処理を示す流れ図。
【図７】同実施の形態において情報端末装置に取り込んだ同一分類の商品を売価の安価な順にソートしてメモリに格納した状態を示す図。
【図８】同実施の形態における情報端末装置のディスプレイによる同一分類商品の表示例を示す図。
【図９】同実施の形態における情報端末装置のディスプレイによる選択商品の陳列位置表示例を示す図。
【図１０】同実施の形態における情報端末装置のディスプレイによる選択商品の陳列位置の拡大表示例を示す図。
【発明を実施するための形態】
【０００８】
以下、実施の形態を図面を参照して説明する。  
図１はシステム全体の構成を示すブロック図で、ＬＡＮ１にサーバ２及び情報端末装置３を接続し、前記サーバ２にインライン回線４を介して複数のＰＯＳ（ポイント・オブ・セールス）端末５を接続している。
【０００９】
前記サーバ２は店舗の事務所などバックヤードに設置され、商品情報ファイル２１、陳列情報ファイル２２を備えている。前記ＰＯＳ端末５は、売り場の出入口近傍の精算所に設置され、顧客が買物籠に入れてきた商品をバーコードスキャナを使用して１品ずつ登録するとともに登録した合計金額に基づいて顧客との金銭の授受を行うようになっている。前記情報端末装置３は、例えば、ＰＯＳ端末５の設置場所よりも内側の売り場内に設置され、顧客が自由に操作できるようになっている。前記サーバ２及び情報端末装置３は商品紹介システムの要部を構成するものである。
【００１０】
前記情報端末装置３は、図２に示すように、制御部本体を構成するＣＰＵ（中央処理装置）３１、このＣＰＵ３１が各部を制御するためのプログラムデータを格納したＲＯＭ（リード・オンリー・メモリ）３２、前記ＣＰＵ３１が演算処理するデータを一時的に格納するメモリや表示データや印刷データを一時的に格納するメモリ等を設けたＲＡＭ（ランダム・アクセス・メモリ）３３、商品に付されたバーコードを読み取るバーコードスキャナ３４、このバーコードスキャナ３４を制御してバーコードを変換した商品コードを取り込むスキャナコントローラ３５、キーボード３６、このキーボード３６を制御してキー信号を取り込むキーボードコントローラ３７、出力手段を構成する画面表示式の液晶ディスプレイ３８、このディスプレイ３８を制御して文字表示や画像表示を行わせるディスプレイコントローラ３９、出力手段を構成するプリンタ４０、このプリンタ４０を制御して印刷動作を行わせるプリンタコントローラ４１、前記サーバ２とＬＡＮ１を介して通信を行うサーバインターフェース４２等によって構成している。
【００１１】
前記ＣＰＵ３１、ＲＯＭ３２、ＲＡＭ３３、スキャナコントローラ３５、キーボードコントローラ３７、ディスプレイコントローラ３９、プリンタコントローラ４１及びサーバインターフェース４２はシステムバスライン４３によって互いに電気的に接続している。
【００１２】
前記サーバ２の商品情報ファイル２１は、図３に示すように、売り場で販売している全ての商品について、その商品コード、商品を例えば醤油類など分類毎に分けるための分類コード、商品名、商品価格である売価等の情報を格納している。
【００１３】
また、前記サーバ２の陳列情報ファイル２２は、図４に示すように、売り場で販売している全ての商品について、その商品コード、商品を例えば醤油類など分類毎に分けるための分類コード、商品名、その商品の陳列位置等の情報を格納している。
【００１４】
前記ＰＯＳ端末５による商品の登録処理は次のように行われる。すなわち、ＰＯＳ端末５はバーコードスキャナで商品のバーコードを読み取ると、そのバーコードを解読した商品コードを取り込んで前記サーバ２に問い合わせる。前記サーバ２は問い合わせのあった商品コードに基づいて商品情報ファイル２１を検索し、該当する商品コードに対応した分類コード、商品名、売価等の商品情報をその商品情報ファイル２１から読み出して問い合わせのあったＰＯＳ端末５に送信する。ＰＯＳ端末５は商品コードに基づいてＲＡＭ３３に単品登録処理を行うとともに分類コードに基づいて分類登録処理を行う。また、売価をディスプレイに表示するとともに商品名、売価をプリンタによってレシートに印刷する。これを繰り返すことで商品の登録処理を行う。
【００１５】
前記情報端末装置３のＣＰＵ３１は、図５に示す商品紹介処理を行うようになっている。すなわち、Ｓ１にて、バーコードスキャナ３４が商品に付されているバーコードをスキャニングし商品コードに変換すると、このバーコードスキャナ３４からの商品コードをスキャナコントローラ３５を介してＲＡＭ３３に取り込む。そして、Ｓ２にて、サーバ２にその商品コードを送信して問い合わせる。
【００１６】
これにより、サーバ２は商品情報ファイル２１を検索し、この商品情報ファイル２１から受信した商品コードに対応した商品情報、すなわち、分類コード、商品名、売価等を読み出す。（同種類商品情報の読み出し手段）
続いて、Ｓ３にて、サーバ２から問い合わせた商品コードに対応した商品情報を取得し、ＲＡＭ３３に格納する。そして、Ｓ４にて、サーバ２に対して取得した商品情報の分類コードと同じ分類コードの商品情報があるかを問い合わせる。
【００１７】
これにより、サーバ２は商品情報ファイル２１を検索し、この商品情報ファイル２１に同じ分類コードの他の商品情報があればその商品情報、すなわち、商品コード、商品名、売価等を読み出す。（同種類商品情報の読み出し手段）
商品情報ファイル２１に同じ分類コードの他の商品情報があれば、Ｓ５にて、サーバ２からその商品情報を取得し、先に取得した商品情報と今回取得した商品情報を売価の安価な順にソートしてＲＡＭ３３に格納する。
【００１８】
例えば、図３に示すようなデータを格納した商品情報ファイル２１から分類コード「00000000001」の３つの商品情報を取得したとすると、ＲＡＭ３３にはソートにより図７に示すように売価の安価な順に商品情報が格納されることになる。
【００１９】
そして、Ｓ６にて、ＲＡＭ３３にソートして格納した商品情報に基づいてディスプレイ３８に、図８に示すように、商品名と売価を安価な順に並べて表示する。（第１の出力制御手段）
また、商品情報ファイル２１に同じ分類コードの他の商品情報が無ければ、Ｓ７にて、先に取得した商品情報の商品名と売価のみをディスプレイ３８に表示する。
【００２０】
続いて、Ｓ８にて、キーボード３６から印刷の指示があったかを判定し、印刷の指示があれば、Ｓ９にて、同一分類の商品情報の商品名と売価をプリンタ４０により印刷出力して処理を終了する。（第１の出力制御手段）
また、印刷の指示が無ければ、印刷をせずに処理を終了する。
【００２１】
また、前記情報端末装置３のＣＰＵ３１は、前記ディスプレイ３８に、図８に示すように、商品名と売価を安価な順に並べて表示されている状態で、例えばキーボード３６の置数キーを操作することで図６に示す商品の陳列位置報知処理を行うようになっている。すなわち、Ｓ１１にて、置数キーを操作して商品を選択すると、Ｓ１２にて、その選択した商品の商品コードをＲＡＭ３３から読み出してサーバ２にその商品の陳列位置を問い合わせる。
【００２２】
これにより、サーバ２は陳列情報ファイル２２を検索し、受信した商品コード1があれば該当する陳列情報、すなわち、分類コード、商品名、陳列位置等を読み出す。（第２の出力制御手段）
陳列情報ファイル２２に該当する陳列情報があれば、Ｓ１３にて、サーバ２からその陳列情報を取得し、ディスプレイ３８に、図９に示すように、売り場の陳列棚のレイアウトをグラフィック表示するとともに該当する商品が陳列してある陳列棚をマーク表示して知らせる。
【００２３】
この状態でさらに拡大表示をキー入力等で指定すると、ディスプレイ３８に、さらに、図１０に示すように、該当する陳列棚の拡大表示を行うとともに該当する商品が陳列棚のどの位置にあるかをマーク表示して知らせる。
【００２４】
続いて、Ｓ１４にて、キーボード３６から印刷の指示があったかを判定し、印刷の指示があれば、Ｓ１５にて、売り場の陳列棚のレイアウト画像に該当する商品が陳列してある陳列棚をマークした画像がプリンタ４０により印刷出力して処理を終了する。（第２の出力制御手段）
また、印刷指示が無ければ印刷をせずに処理を終了する。
【００２５】
また、陳列情報ファイル２２に該当する陳列情報がない場合は、Ｓ１６にて、商品選択の継続指示が行われたかを判断し、継続指示が行われていれば、Ｓ１１の商品選択の判定に戻り、継続指示が行われていなければ処理を終了する。
【００２６】
このような構成においては、顧客が来店し、ある商品についてその商品と類似した他の商品の価格状況を知りたいときには、ある商品に付されたバーコードを情報端末装置３のバーコードスキャナ３４によって読み取る。これにより、情報端末装置３は、商品コードをサーバ２に問い合わせ、サーバ２は商品情報ファイル２１から該当する商品情報を読み出して情報端末装置３に送信する。
【００２７】
情報端末装置３は商品情報を受取ると、今度はその商品情報の分類コードをサーバ２に送信する。これにより、サーバ２は商品情報ファイル２１から同一分類コードの他の商品情報を読み出して情報端末装置３に送信する。情報端末装置３はサーバ２から商品情報を取り込むと先に取り込んだ商品情報を含め複数の商品情報を売価の安価な順に並べてディスプレイ３８に表示する。
【００２８】
これにより、顧客は、同一分類の商品で一番安価な商品を簡単に知ることができる。例えば、醤油について多数の商品があれば醤油のうちで一番安価な商品を簡単に知ることができる。また、同一分類の商品において、特売を行うものやタイムサービスで一時的に安価に販売するものがあれば、それが一番安価な商品として表示されることになるので、顧客はそれを簡単に知ることができる。このように、顧客に同一分類の商品の中で一番安価な商品を容易に知らせることができるので顧客に対するサービスを向上できる。
【００２９】
また、この状態で表示されている内容を印刷したいときにはキーボード３６を操作して印刷を指定すれば表示されている内容が印刷出力されるので、顧客が情報端末装置３の位置を離れても何時でも確認できるようになる。
【００３０】
ディスプレイ３８に同一分類の複数の商品が売価の安価な順に並べて表示されている状態で、顧客がキーボード３６を操作して、例えば、一番安価な商品を選択すると、ディスプレイ３８にその選択した商品の陳列位置を示す飛揚時が行われる。すなわち、売り場の陳列棚のレイアウト画像が表示され、その画像において該当する商品が陳列してある陳列棚がマーク表示される。これにより、顧客は自分が購入したい商品がどこに陳列されているかを容易に知ることができる。従って、顧客は自分が購入したい商品を容易に見つけ出すことができるようになり、この点においても顧客に対するサービスを向上できる。
【００３１】
さらに、詳しく知りたければ、拡大表示をキー入力等で指定する。これにより、該当する陳列棚の拡大表示が行われ、該当する商品が陳列棚のどの位置にあるかがマーク表示される。これにより、顧客は商品が陳列棚のどの位置にあるかを容易に知ることができる。これにより、顧客は、目的の商品をさらに容易に見つけ出して購入することができる。
【００３２】
また、顧客が商品の陳列位置を記録として欲しいときにはキーボード３６により印刷を指示する。これにより、売り場の陳列棚のレイアウト及びその画像において該当する商品が陳列してある陳列棚をマーク表示した画像がプリンタ４０によって印刷出力される。これにより、顧客が情報端末装置３の位置を離れても目的の商品の陳列位置を何時でも確認できるようになる。
【００３３】
なお、この実施の形態においては、情報端末装置３をＰＯＳ端末５の設置場所よりも内側の売り場内に設置し、顧客がバーコードスキャナ３４を使用して商品からバーコードを読み取るようにしたが必ずしもこれに限定するものではなく、情報端末装置３をＰＯＳ端末５の設置場所よりも外側の店の出入口付近に設置し、顧客がキーボードを使用して醤油などの商品分類名を入力することでその商品分類に属する商品の商品名と売価を売価の安価な順に並べて表示するようにしてもよい。なお、この場合は、ＰＯＳ端末５の設置場所よりも外側にあるので顧客がその場所に商品を持ち出すことはできないため、商品のバーコードをスキャナで読み取らせるという作業はなく、従って、バーコードスキャナは不要になる。
【００３４】
また、この実施の形態では、同一分類の商品を売価の安価な順に並べて表示するようにしたが必ずしも売価の安価な順に並べて表示する必要はない。  
また、この実施の形態では、出力手段としてディスプレイ及びプリンタの両方を使用したものについて述べたが必ずしもこれに限定するものではなく、いずれか一方のみ使用するものであってもよい。
【００３５】
さらに、この実施の形態では、目的とする商品の陳列位置をディスプレイにグラフィック画像として表示させて知らせるものについて述べたが必ずしもこれに限定するものではなく、たとえば、売り場の陳列棚に番号や記号を付し、この番号や記号をディスプレイに表示して知らせるものであってもよい。
【００３６】
さらにまた、この実施の形態では、売り場内に情報端末装置を１台設置した場合について述べたが設置する台数は２台以上であってもよく、その設置台数は店舗の売り場面積やレイアウト等によって店側で自由に設定できるものである。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
２…サーバ、２１…商品情報ファイル、２２…陳列情報ファイル、３…情報端末装置、３１…ＣＰＵ（中央処理装置）、３４…バーコードスキャナ、３８…液晶ディスプレイ、４０…プリンタ。
【図１】
2011060327.tif 000003
【図２】
2011060327.tif 000004
【図３】
2011060327.tif 000005
【図４】
2011060327.tif 000006
【図５】
2011060327.tif 000007
【図６】
2011060327.tif 000008
【図７】
2011060327.tif 000009
【図８】
2011060327.tif 000010
【図９】
2011060327.tif 000011
【図１０】
2011060327.tif 000012